(57)【要約】　　　（修正有）【課題】キャスターが取り付けられている、乳母車の前方の下方部分に関する構成を改良することである。【解決手段】２つの後輪と、１つの自由に方向の変わる中央前輪１とを備える折畳み式乳母車であって、折畳み式乳母車の足置き部５は、前脚部が集まっている箇所の下方部分に、ピン接合によって連結されている。中央前輪１は、この足置き部の前方端部に取り付けられており、足置き部５が、乳母車の使用時には所定の位置で自身を固定する手段と、自身を折畳むことができる手段とを備えていることを特徴とする折り畳み式乳母車を提供する。【選択図】　図１
0003099764.tif 000002
【実用新案登録請求の範囲】
【請求項１】
２つの後輪と、１つの自由に方向の変わる中央前輪とを備える折畳み式乳母車であって、
折畳み式乳母車の足置き部は、前脚部が集まっている箇所の下方部分に、ピン接合によって連結され、
前記中央前輪は、この足置き部の前方端部に取り付けられており、
前記足置き部が、乳母車の使用時には所定の位置で自身を固定する手段と、自身を折畳むことができる手段とを備えていることを特徴とする折り畳み式乳母車。
【請求項２】
前記足置き部は、前輪が自由に方向が変わるように前輪を支持しているキャスター支持部を固定する手段、および前記キャスター支持部の固定を解除する手段を有しており、
前記前輪は、ブレーキ手段を有していることを特徴とする請求項１に記載の折畳み式乳母車。
【請求項３】
足置き部を固定する手段によって把持されている板が、前脚の下方部分に固定されていることを特徴とする請求項１に記載の折畳み式乳母車。
【考案の詳細な説明】
既に数年前から、３輪だけ（すなわち、２つの後輪と、乳母車の前方の中央部分にある１つの車輪、すなわち１つの中央前輪）を備えている折畳み式乳母車に関するいくつかのモデルが知られている。また、上記中央前輪は、場合によっては乳母車の接地面において自由に方向の変わる車輪、すなわちキャスターであってもよい。
【０００１】
本考案の目的は、上記したようなこのタイプの乳母車の構成を改良することであり、特には、キャスターが取り付けられている、この乳母車の前方の下方部分に関する構成を改良することである。
【０００２】
つまり、上記したような乳母車の技術分野において、より具体的には、本考案の改良は、前輪が回転できるようにこの前輪を補助している、ピンで接合された足置き部を提供することにある。なお、この足置き部は、乳母車をコンパクトに折畳んで配置できるように、乳母車が使用される場合と、乳母車が折畳まれている場合とにそれぞれ適合するように設計されていてもよい。また、以下、本明細書において、乳母車の前方とは、乳母車の進行方向側、すなわち前輪が備えられている側をいい、後方とは前方の逆側、すなわち後輪が備えられている側をいう。また、下方とは、乳母車の接地面側をいう。
【０００３】
本考案における特徴は、前輪が回転しないようにするために、自由に回転できるように前輪を支持しているキャスター支持部を固定する手段、および前輪を回転可能とするために、前記キャスター支持部の固定を解除する手段と、この前輪にブレーキをかけることが可能なケーブル・ブレーキ装置とを、乳母車が備えることである。
【０００４】
さらには、足置き部は、乳母車の使用時において、自身に備えられている手段によって、前脚部の下方部分に足置き部の板を締め付けることで固定され、乳母車の折畳み時において、自身に備えられている手段によって折畳まれることができることを特徴とする。
【０００５】
これらの特徴およびその他の特徴は、以下の詳細な説明によって明確となるであろう。また、２枚の添付図面（図１〜図４）によって、この詳細な説明を容易に理解することができる。なお、この添付図面は、単に例示として引用している実施形態を示しているものであり、本発明の範囲を限定するものではない。
【０００６】
図面において、
図１および図２は、乳母車の使用時および折畳み時それぞれの場合での状態位置にある足置き部を備えている乳母車の前方の下方部分を示す透視図であり、
図３は、足置き部の構成を示す透視図であり、
図４は、足置き部がピン接合されている接合箇所を、固定することができる固定手段と、キャスター支持部材を固定することができる固定手段とを有している足置き部を示す側面図である。
【０００７】
図面を参照すると、乳母車は前輪（１）を有しており、この前輪（１）は、空気入りタイヤ（２）を備え、そして、足置き部（５）にて集められている前脚部（３）、（４）の下方部分に取り付けられている。
【０００８】
また、この足置き部（５）は、一体成形された金属製部材から形成されている。そして、足置き部の後方部分には、２つの凹所（６）、（７）が形成されており、前脚部（３）、（４）の下方端部が、交差ピン（８）によってこの凹所（６）、（７）に取り付けられている。このようにして、この足置き部（５）は、ピン接合により接合されている。また、この足置き部（５）は、その前方部分に突出部（９）を有しており、この突出部（９）は、略垂直な方向、すなわち足置き部（５）の足が置かれる面に対して略垂直な方向に開口している。つまり、突出部（９）には円柱形状の通路（１０）（図３）が形成されている。そして、この通路（１０）では、支持ピン（１１）が取り付けられ、前輪（１）が装着されるべき場所に前輪の支え、すなわちフォーク（１２）を配置することができる。
【０００９】
また、足置き部（５）は、乳母車の使用時において、足置き（５）自身を固定する手段を有している。つまり、この手段とは、ボルト（１３）によって形成されている締め付け装置である。このボルト（１３）の先端部（１４）は、交差ピン（１５）（図４）によってピン接合されており、この交差ピン（１５）は、足置き（５）後方の縦の隆起部（１７）に備えられている孔（１６）を貫通して伸びている。なお、縦とは乳母車の前方から後方に至る方向、または後方から前方に至る方向である。また、この隆起部（１７）には端部切り込み（１８）がある。円柱形状のナット（１９）は、ボルト（１３）に取り付けられ、カム（２１）を備える制御ハンドル（２０）のピンとしての役目を果す。さらに、このボルト（１３）の周りには、ばね（２２）とワッシャー（２３）、（２４）（図４）が取り付けられている。
【００１０】
足置き部（５）が固定されている位置では、ボルト（１３）は、前脚部（３）、（４）の端部の後方に取り付けられている板（２６）にある上端部切り込み（２５）にはめ込まれる。
【００１１】
また、自由に方向が変わる支持ピン（１１）は、固定手段（２７）によって固定され得る。また、この固定手段は、２つの回転位置を有しており、外部制御ノブ（２８）と内部ピン（２９）とを備えている。そして、この内部ピン（２９）は、足置き部（５）が固定されている位置で、支持ピン（１１）の孔（３０）（図４）にはめ込まれる。なお、ここで、固定手段（２７）の２つの回転位置とは、足置き部（５）が固定されている場合と足置き部（５）の固定が解除されている場合とにおいて、それぞれの場合で異なる固定手段の位置である。すなわち、固定手段は、内部ピン（２９）を軸として回転可能であり、上記した足置き部の２つの状態に合わせて異なる回転位置で配置される。
【００１２】
また、この支持ピン（１１）は、軸受け補助部（３１）、（３２）と共に、足置き部（５）の突出部（９）にはめ込まれる。さらに、支持ピン（１１）は、蓋部（３３）によって保護されているナットによって固定されている。
【００１３】
また、前輪（１）は、ケーブル（３５）によって作動するディスクブレーキ手段（３４）を有している。
【００１４】
発明の本質的な範囲において、本発明は、単に例示して上記に述べてきた実施形態と細部のみ異なるような他の実施形態によって実施されてもよい。つまり、この他の実施形態は、実用新案登録請求の範囲に含まれるものである。
【図面の簡単な説明】
【図１】乳母車の使用時の状態位置にある足置き部を備えている、乳母車の前方の下方部分を示す透視図である。
【図２】乳母車の折畳み時の状態位置にある足置き部を備えている、乳母車の前方の下方部分を示す透視図である。
【図３】足置き部の構成を示す透視図である。
【図４】足置き部がピン接合されている接合箇所を固定することができる固定手段と、キャスター支持部材を固定することができる固定手段とを有している足置き部を示す側面図である。
【符号の説明】
１　　前輪
２　　空気入りタイヤ
３　　前脚部
４　　前脚部
５　　足置き部
６　　凹所
７　　凹所
８　　交差ピン
９　　突出部
１０　円柱形状の通路
１１　支持ピン
１２　フォーク
１４　先端部
１５　交差ピン
１７　隆起部
１８　端部切り込み
１９　円柱形状のナット
２０　制御ハンドル
２１　カム
２５　上端部切り込み
２６　板
２７　固定手段
２８　外部制御ノブ
２９　内部ピン
３１　軸受け補助部
３２　軸受け補助部
３３　蓋部
３４　ディスクブレーキ手段
３５　ケーブル
【図１】
0003099764.tif 000003
【図２】
0003099764.tif 000004
【図３】
0003099764.tif 000005
【図４】
0003099764.tif 000006